(57)【要約】【課題】組み立てが容易で、かつ、ランプが収納されていない状態であっても、シートの両端を係止している箇所が外れにくいランプ用包装箱を提供する。【解決手段】ランプ６０を収納する筒体２０を備え、筒体２０は、少なくとも筒体２０の周側面を構成する樹脂シート２１で構成され、樹脂シート２１の両端領域のうちの一方には、二つの係止片（第１係止片２４及び第２係止片２５）が形成され、両端領域のうちの他方には、二つの係止片が挿入される二つの切り込み線（第１切り込み線２６及び第２切り込み線２７）が形成され、二つの係止片は二つの係止片の間に位置する線で折り返すと重なり合う形状を有し、二つの係止片のそれぞれは二つの切り込み線のうちの対応する切り込み線に、周回方向と直交する方向で、かつ、他方の係止片から遠ざかる方向に挿入されて係止される。【選択図】図３
2015074484.tif 000002
【特許請求の範囲】
【請求項１】
ランプ用包装箱であって、
ランプを収納する筒体を備え、
前記筒体は、少なくとも当該筒体の周側面を構成するシートで構成され、
前記筒体の周回方向における前記シートの両端領域のうちの一方の領域には、当該両端領域を重ねた状態で係止させるための二つの係止片が、前記周回方向と直交する方向に離間して形成され、
前記両端領域のうちの他方の領域には、前記二つの係止片が挿入される二つの切り込み線が形成され、
前記二つの係止片は、前記二つの係止片の間に位置する線で折り返すと重なり合う形状を有し、
前記二つの係止片のそれぞれは、前記二つの切り込み線のうちの対応する切り込み線に、前記周回方向と直交する方向で、かつ、他方の前記係止片から遠ざかる方向に挿入されて係止される
ランプ用包装箱。
【請求項２】
前記二つの係止片は、対応する前記切り込み線への挿入方向における先頭側に位置する先端領域と、前記先端領域を除く領域である後端領域とから構成され、
前記先端領域は、前記挿入方向における先頭ほど前記挿入方向と直交する方向における幅が小さくなる先細り形状を有し、
前記後端領域は、前記挿入方向と直交する方向における幅が、前記先端領域の幅よりも小さい
請求項１記載のランプ用包装箱。
【請求項３】
前記二つの係止片は、台形と六角形とを、前記台形を構成する一つの斜辺と前記六角形を構成する一辺とが接するように、くっつけた場合に得られる形状の輪郭に等しい外形を有する
請求項１又は２記載のランプ用包装箱。
【請求項４】
前記二つの切り込み線は、対応する前記係止片の挿入方向に対して傾斜する方向に直線状に延びる傾斜部と、前記傾斜部の一端から前記周回方向に直線状に延びる直線部とから構成される
請求項２又は３記載のランプ用包装箱。
【請求項５】
前記先端領域の前記挿入方向と直交する方向における幅の最大値は、前記挿入方向から見た前記切り込み線の長さと略等しく、
前記後端領域の前記挿入方向と直交する方向における幅の最大値は、前記挿入方向から見た前記傾斜部の長さと略等しい
請求項４記載のランプ用包装箱。
【発明の詳細な説明】
【技術分野】
【０００１】
本発明は、ランプを収納するランプ用包装箱に関する。
【背景技術】
【０００２】
高信頼性及び長寿命という特徴を有するＬＥＤ（Ｌｉｇｈｔ  Ｅｍｉｔｔｉｎｇ  Ｄｉｏｄｅ）ランプの普及に伴い、様々なランプ用包装箱が開発されている。
【０００３】
ランプ用包装箱として利用可能な従来の包装箱として、例えば一枚の樹脂シートを直方体の形状に組み立てたものが知られている（例えば、特許文献１）。
【０００４】
特許文献１の包装箱では、一枚の樹脂シートは、４つの連なった側面を有している。４つの側面のうちの一つの側面の辺には、係止片が二つ設けられている。また、二つの係止片が形成された側面と、組み立て後に隣り合うことになる側面には、当該係止片が挿入されて係止されるように、線状に切り込まれた孔である切り込み線が形成されている（特許文献１の図２参照）。
【０００５】
これら二つの係止片には、根元が内側に切り込まれた形状を有することにより、切り込み線への挿入方向に直交する方向に突出した突起部が形成されている。挿入方向に直交する方向における切り込み線の幅は、係止片の根元部分の幅より大きく、二つの突起部の頂点同士を結ぶ直線の長さよりも短くなっている。そのため、係止片が切り込み線に挿入された後、突起部が切り込み線に係止されることになり、樹脂シートが直方体の形状に組み立てられた後、その形状が維持される。
【先行技術文献】
【特許文献】
【０００６】
【特許文献１】特開２００１−２１９９２４号公報
【発明の概要】
【発明が解決しようとする課題】
【０００７】
しかしながら、上記従来の包装箱では、一旦切り込み線に挿入された係止片は抜けにくいものの、切り込み線が挿入方向に対して直交する方向に形成されているために、係止片を切り込み線に挿入しにくいという問題がある。
【０００８】
また、別のタイプの従来の包装箱として、切り込み線が略台形形状にくり抜かれた形状を有しており、係止片を挿入し易くしたものも知られている（例えば、特許文献１の図４参照）。このような包装箱では、物品を収納した状態では包装箱が拡径するように拡がるので、係止片は切り込み線に強固に係止される。しかしながら、係止片が切り込み線に挿入し易い分だけ、物品を収納していない状態では係止片が抜け易いという問題がある。
【０００９】
そこで、本発明は、このような問題に鑑みてなされたものであり、組み立てが容易で、かつ、ランプが収納されていない状態であっても、シートの両端を係止している箇所が外れにくいランプ用包装箱を提供することを目的とする。
【課題を解決するための手段】
【００１０】
上記目的と達成するために、本発明に係るランプ用包装箱の一形態は、ランプ用包装箱であって、ランプを収納する筒体を備え、前記筒体は、少なくとも当該筒体の周側面を構成するシートで構成され、前記筒体の周回方向における前記シートの両端領域のうちの一方の領域には、当該両端領域を重ねた状態で係止させるための二つの係止片が、前記周回方向と直交する方向に離間して形成され、前記両端領域のうちの他方の領域には、前記二つの係止片が挿入される二つの切り込み線が形成され、前記二つの係止片は、前記二つの係止片の間に位置する線で折り返すと重なり合う形状を有し、前記二つの係止片のそれぞれは、前記二つの切り込み線のうちの対応する切り込み線に、前記周回方向と直交する方向で、かつ、他方の前記係止片から遠ざかる方向に挿入されて係止される。
【００１１】
ここで、前記二つの係止片は、対応する前記切り込み線への挿入方向における先頭側に位置する先端領域と、前記先端領域を除く領域である後端領域とから構成され、前記先端領域は、前記挿入方向における先頭ほど前記挿入方向と直交する方向における幅が小さくなる先細り形状を有し、前記後端領域は、前記挿入方向と直交する方向における幅が、前記先端領域の幅よりも小さくてもよい。
【００１２】
また、前記二つの係止片は、台形と六角形とを、前記台形を構成する一つの斜辺と前記六角形を構成する一辺とが接するように、くっつけた場合に得られる形状の輪郭に等しい外形を有してもよい。
【００１３】
また、前記二つの切り込み線は、対応する前記係止片の挿入方向に対して傾斜する方向に直線状に延びる傾斜部と、前記傾斜部の一端から前記周回方向に直線状に延びる直線部とから構成されてもよい。
【００１４】
また、前記先端領域の前記挿入方向と直交する方向における幅の最大値は、前記挿入方向から見た前記切り込み線の長さと略等しく、前記後端領域の前記挿入方向と直交する方向における幅の最大値は、前記挿入方向から見た前記傾斜部の長さと略等しくてもよい。
【発明の効果】
【００１５】
本発明により、組み立てが容易で、かつ、ランプが収納されていない状態であっても、シートの両端を係止している箇所が外れにくいランプ用包装箱が実現される。
【００１６】
よって、ＬＥＤランプが普及して今日において、本発明の実用的意義は極めて高い。
【図面の簡単な説明】
【００１７】
【図１】本発明の実施の形態におけるランプ用包装箱の外観を示す斜視図
【図２】図１に示されるランプ用包装箱の分解図
【図３】図１に示される筒体の展開図
【図４】第１係止片、第２係止片、第１切り込み線及び第２切り込み線の拡大図
【図５】第１係止片及び第２係止片を挿入するときの作業を説明する図
【図６Ａ】本発明の実施の形態の変形例に係るランプ用包装箱の外観を示す斜視図
【図６Ｂ】図６Ａに示される筒体の展開図
【発明を実施するための形態】
【００１８】
以下、本発明の実施の形態（変形例を含む）について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態、組み立て順序等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明される。
【００１９】
また、本明細書において、「下（下方）」、「上（上方）」、「右」、「左」とは、特段の断りがない限り、図面に示された物品を図面に示された方向から見た場合における方向と一致する。
【００２０】
図１は、本実施の形態におけるランプ用包装箱１０の外観を示す斜視図である。図２は、図１に示されるランプ用包装箱１０の分解図である。なお、図１及び図２には、ランプ用包装箱１０に収納されるランプ６０も併せて図示されている。ランプ６０は、例えば、ＬＥＤランプであり、図２に示されるように、ＬＥＤを含む発光部６１、発光部６１を収納するグローブ６２、ＬＥＤに電力を供給する電気回路を収納する筐体６３、及び、口金６４を備える。ランプ用包装箱１０は、ランプ６０を収納する包装箱であり、図２に示されるように、筒体２０、ラベル＆底部４０、及び、ランプ用押さえ部５０で構成される。
【００２１】
筒体２０は、ランプ６０を収納するケースであり、１枚の透明の樹脂シートで組み立てられた四角柱に近い形状を有する。より厳密には、筒体２０は、四角柱の側面における４つの角を面取り（下方ほど大きく面取り）して得られるような八角柱に近い形状を有する。そして、筒体２０は、底に近づくほど内径（収納幅）が小さくなるような逆角錐体である。
【００２２】
ラベル＆底部４０は、ランプ６０の商品名等が印刷された紙製のラベル４１と、ランプ用包装箱１０の底面を構成する透明の樹脂製の底部４２とから構成される。底部４２は、ラベル４１に設けられた孔を貫通する１枚の樹脂シートを折り曲げて作製されており、ランプ６０の口金６４が挿入される円形孔を有する。
【００２３】
ランプ用押さえ部５０は、筒体２０に収納されたランプ６０のグローブ６２の頂部を下方に押さえる部材であり、グローブ６２の頂部に合わせた円形孔が形成された１枚の樹脂シートを折り曲げて作製される。
【００２４】
なお、本実施の形態では、ランプ用包装箱１０は、３つの構成要素（筒体２０、ラベル＆底部４０、ランプ用押さえ部５０）から構成されたが、筒体２０だけから構成されてもよい。ラベル４１は、ランプ６０の種類及び用途によっては必ずしも必要でないし、さらに、筒体２０に底面が形成されているならば、筒体２０と別体のラベル＆底部４０は不要となる。また、ランプ用押さえ部５０に相当するものが筒体２０に形成されている場合、及び、ランプ用押さえ部５０がなくてもランプ６０が安定的に筒体２０に固定される場合等には、筒体２０と別体のランプ用押さえ部５０も不要となる。
【００２５】
また、筒体２０、底部４２、及び、ランプ用押さえ部５０は、必ずしも透明の樹脂シートで構成されていなくてもよく、例えば、紙シートで構成されてもよい。
【００２６】
図３は、図１に示される筒体２０の展開図である。上述したように、筒体２０は、１枚の樹脂シート２１を折り曲げて作製される構造物であり、図３には、折り曲げる前の樹脂シート２１の平面図が示されている。なお、図３における破線は、組み立て時に樹脂シート２１を折り曲げる箇所（折れ線）を示している。
【００２７】
この樹脂シート２１は、筒体２０の少なくとも周側面を構成するシートの一例であり、左側面２２ａ、前側面２２ｂ、右側面２２ｃ、後側面２２ｄ、重ね片２２ｅ、左後側面２３ａ、左前側面２３ｂ、右前側面２３ｃ、右後側面２３ｄ、第１係止片２４、第２係止片２５、第１切り込み線２６、第２切り込み線２７、頂面２８、吊り下げ片２９、第１折り返し片３０、及び、第２折り返し片３１で構成される。このような樹脂シート２１は、矩形の樹脂シートを裁断することで得られる。
【００２８】
この樹脂シート２１のうち、左後側面２３ａ、左側面２２ａ、左前側面２３ｂ、前側面２２ｂ、右前側面２３ｃ、右側面２２ｃ、右後側面２３ｄ、後側面２２ｄ、及び、重ね片２２ｅは、この順で連接され、筒体２０の周側面を構成している。これらのうち、左側面２２ａ、前側面２２ｂ、右側面２２ｃ、及び、後側面２２ｄは、主要な４つの側面（つまり、筒体２０を四角柱とみたときの４つの側面）である。また、左後側面２３ａ、左前側面２３ｂ、右前側面２３ｃ、及び、右後側面２３ｄは、上述の面取り（筒体２０を四角柱とみたときの四角柱の側面における角の面取り）に対応する面である。
【００２９】
第１係止片２４及び第２係止片２５は、筒体２０の周回方向における樹脂シート２１の両端領域のうちの一方の領域（ここでは、左後側面２３ａ）に、周回方向と直交する方向に離間して形成され、両端領域を重ねた状態で係止させるための差し込み片である。ここで、筒体２０の周回方向における樹脂シート２１の両端領域とは、例えば、左後側面２３ａ及び左側面２２ａに相当する領域（一方の領域）と、後側面２２ｄ及び重ね片２２ｅに相当する領域（他方の領域）である。また、両端領域を重ねた状態とは、本実施の形態では、重ね片２２ｅが左後側面２３ａ及び左側面２２ａと重なり合う（これらの内側に位置する）状態をいう。また、「直交」とは、９０度の交差だけでなく、９０度に近い交差、例えば、７０〜１１０度の交差を含んでもよい。
【００３０】
本実施の形態では、第１係止片２４及び第２係止片２５は、左後側面２３ａの辺に、外方に突出する舌片として形成されている。また、第１係止片２４及び第２係止片２５は、これらの間に位置する線で折り返すと重なり合う形状を有する。つまり、第１係止片２４及び第２係止片２５は、これらの並びが左右の位置となるように見たときに、お互いに左右対称となる形状を有する。
【００３１】
第１切り込み線２６及び第２切り込み線２７は、筒体２０の周回方向における樹脂シート２１の両端領域のうちの他方の領域（ここでは、後側面２２ｄ）に形成され、それぞれ、挿入された第１係止片２４及び第２係止片２５を係止するための線状の孔である。このような第１切り込み線２６及び第２切り込み線２７は、樹脂シート２１にカッターナイフで切り込みを入れることで得られる。第１切り込み線２６には、対応する第１係止片２４が、筒体２０の周回方向と直交する方向で、かつ、第２係止片２５から遠ざかる方向に挿入されて係止される。一方、第２切り込み線２７には、対応する第２係止片２５が、筒体２０の周回方向と直交する方向で、かつ、第１係止片２４から遠ざかる方向に挿入されて係止される。
【００３２】
頂面２８は、前側面２２ｂと接続され、筒体２０の蓋となる四角形の片であり、４つのフラップを有する。頂面２８には、筒体２０を組み立てたときに吊り下げ片２９の先端部分が下方から上方に貫通する孔である吊り下げ片用孔２８ａが形成されている。
【００３３】
吊り下げ片２９は、後側面２２ｄと接続され、筒体２０を組み立てた状態で筒体２０を展示用壁面に設けられたフック等に吊り下げるためのフック用孔２９ａを提供するための片である。筒体２０の組み立て時に吊り下げ片２９の先端部（吊り下げ片２９の先端側の半分）が頂面２８に設けられた吊り下げ片用孔２８ａを下方から上方に貫通することで、筒体２０の上面から上方に向けて、フック用孔２９ａが形成された吊り下げ片２９が突き出る。
【００３４】
第１折り返し片３０及び第２折り返し片３１は、それぞれ、前側面２２ｂ及び後側面２２ｄに接続された四角形の片であり、筒体２０の組み立て時に、筒体２０の内側に折り曲げられる。第１折り返し片３０と前側面２２ｂとの接続箇所（筒体２０の底辺となる箇所）、及び、第２折り返し片３１と後側面２２ｄとの接続箇所（筒体２０の底辺となる箇所）には、孔が形成されている。これらの孔にラベル＆底部４０の底部４２に形成された片が上方から下方に貫通した後、貫通した部分が内側に折り曲げられることで、ラベル＆底部４０が筒体２０に固定される。
【００３５】
図４は、本実施の形態におけるランプ用包装箱１０に特徴的な第１係止片２４、第２係止片２５、第１切り込み線２６及び第２切り込み線２７の拡大図である。図４の（ａ）は、第１係止片２４及び第２係止片２５を第１切り込み線２６及び第２切り込み線２７に挿入する前の状態を示し、図４の（ｂ）は、挿入後の状態を示す。
【００３６】
図４の（ａ）に示されるように、第１係止片２４は、対応する第１切り込み線２６への挿入方向における先頭側に位置する第１先端領域２４ａと、第１先端領域２４ａを除く領域である第１後端領域２４ｂとから構成される。なお、第１係止片２４の挿入方向は、筒体２０の周回方向と直交する方向で、かつ、第２係止片２５から遠ざかる方向である。同様に、第２係止片２５は、対応する第２切り込み線２７への挿入方向における先頭側に位置する第２先端領域２５ａと、第２先端領域２５ａを除く領域である第２後端領域２５ｂとから構成される。なお、第２係止片２５の挿入方向は、筒体２０の周回方向と直交する方向で、かつ、第１係止片２４から遠ざかる方向である。
【００３７】
第１先端領域２４ａ及び第２先端領域２５ａは、挿入方向における先頭ほど挿入方向と直交する方向における幅が小さくなる先細り形状を有する。第１後端領域２４ｂ及び第２後端領域２５ｂは、挿入方向と直交する方向における幅が、それぞれ、第１先端領域２４ａ及び第２先端領域２５ａの幅よりも小さい。具体的には、第１係止片２４及び第２係止片２５は、台形と六角形とを、台形を構成する一つの斜辺と六角形を構成する一辺とが接するように、くっつけた場合に得られる形状の輪郭に等しい外形を有する。
【００３８】
第１切り込み線２６は、挿入方向に対して傾斜する方向（約４５度）に直線状に延びる孔である第１傾斜部２６ａと、第１傾斜部２６ａの一端から周回方向に直線状に延びる孔である第１直線部２６ｂとから構成される。同様に、第２切り込み線２７は、挿入方向に対して傾斜する方向（約４５度）に直線状に延びる孔である第２傾斜部２７ａと、第２傾斜部２７ａの一端から周回方向に直線状に延びる孔である第２直線部２７ｂとから構成される。
【００３９】
ここで、第１先端領域２４ａの挿入方向と直交する方向における幅の最大値Ｗａは、挿入方向から見た第１切り込み線２６の長さＬａと略等しい（より正確には、実質的に等しいか、あるいは、わずかに大きいのが好ましい）。同様に、第２先端領域２５ａの挿入方向と直交する方向における幅の最大値は、挿入方向から見た第２切り込み線２７の長さと略等しい（より正確には、実質的に等しいか、あるいは、わずかに大きいのが好ましい）。
【００４０】
また、第１後端領域２４ｂの挿入方向と直交する方向における幅の最大値Ｗｂは、挿入方向から見た第１傾斜部２６ａの長さＬｂと略等しい。同様に、第２後端領域２５ｂの挿入方向と直交する方向における幅の最大値は、挿入方向から見た第２傾斜部２７ａの長さと略等しい。
【００４１】
以上のような特徴により、図４の（ｂ）に示されるように、第１係止片２４及び第２係止片２５を、それぞれ、第１切り込み線２６及び第２切り込み線２７に容易に挿入することができる。しかも、挿入された第１係止片２４及び第２係止片２５は、それぞれ、第１切り込み線２６及び第２切り込み線２７から抜けにくい。これは、以下の理由による。
【００４２】
（１）容易に挿入できる理由
第１切り込み線２６は、挿入方向に対して傾斜する方向（約４５度）に直線状に延びる第１傾斜部２６ａを有する。つまり、第１切り込み線２６は、挿入方向に対して傾斜する切り込み箇所（テーパ状の切り込み箇所）を有する。これにより、第１係止片２４の挿入に対する第１切り込み線２６による抵抗が小さくなり、このような傾斜部をもたない切り込み線に比べ、第１係止片２４は挿入され易い。第２切り込み線２７についても同様である。
【００４３】
また、第１係止片２４の第１先端領域２４ａは、挿入方向における先頭ほど挿入方向と直交する方向における幅が小さくなる先細り形状を有する。つまり、第１係止片２４は、挿入方向に対して傾斜する辺（テーパ状の外形）を有する。これにより、第１係止片２４は、先端先細り形状をもたない係止片に比べ、容易に第１切り込み線２６に挿入される。第２係止片２５についても同様である。
【００４４】
（２）抜けにくい理由
第１係止片２４は、第１切り込み線２６に対して、筒体２０の周回方向と直交する方向で、かつ、第２係止片２５から遠ざかる方向に挿入されて係止される。一方、第２係止片２５は、第２切り込み線２７に対して、筒体２０の周回方向と直交する方向で、かつ、第１係止片２４から遠ざかる方向に挿入されて係止される。つまり、第１係止片２４と第２係止片２５とは、お互いに、反対方向に挿入される。よって、一方の係止片の抜ける方向が他方の係止片を挿入する方向となるので（二つの挿入方向が逆であるので）、筒体２０にランプ６０が収納されていない状態であっても、第１係止片２４及び第２係止片２５は抜けにくい。
【００４５】
また、第１係止片２４において、第１先端領域２４ａの挿入方向と直交する方向における幅の最大値は、挿入方向から見た第１切り込み線２６の長さと略等しい。さらに、第１後端領域２４ｂの挿入方向と直交する方向における幅の最大値は、挿入方向から見た第１傾斜部２６ａの長さと略等しい。つまり、第１係止片２４は、全体として、挿入方向に対して、先端先太り形状を有する（挿入方向と直交する方向に突起した突起部を有する）。よって、一旦、第１切り込み線２６に挿入された後は、より幅の大きい先端部（第１先端領域２４ａ）が第１切り込み線２６に引っ掛かり、抜けにくい。第２係止片２５についても同様である。
【００４６】
さらに、第１切り込み線２６は、挿入方向に対して傾斜する方向に直線状に延びる第１傾斜部２６ａだけでなく、第１傾斜部２６ａの一端から周回方向に直線状に延びる第１直線部２６ｂを有する。これにより、一旦、第１切り込み線２６に挿入された第１係止片２４が引き抜かれる方向に引っ張られたとしても、第１係止片２４の第１先端領域２４ａのうち、筒体２０の周回方向に突出した部分（突起部）が、第１切り込み線２６の第１直線部２６ｂに引っ掛かる。よって、第１切り込み線２６に挿入された第１係止片２４は抜けにくい。第２切り込み線２７と第２係止片２５との関係についても同様である。
【００４７】
図５は、本実施の形態におけるランプ用包装箱１０の組み立てにおいて、第１係止片２４及び第２係止片２５を、それぞれ、第１切り込み線２６及び第２切り込み線２７に挿入するときの作業を説明する図である。
【００４８】
まず、図５の（ａ）に示されるように、樹脂シート２１を折り目で折り曲げて湾曲させることで、第１係止片２４及び第２係止片２５を第１切り込み線２６及び第２切り込み線２７の近くもってくる。
【００４９】
次に、図５の（ｂ）に示されるように、一方の係止片（ここでは、第１係止片２４）を対応する切り込み線（ここでは、第１切り込み線２６）に挿入する。挿入方向は、基本的には、筒体２０の周回方向に直交する方向で、かつ、他方の係止片（ここでは、第２係止片２５）から遠ざかっていく方向である。挿入の前半では、図５の（ｂ）に示されるように、挿入方向に対して、少しだけ（例えば、２０〜４５度）、重ね片２２ｅから後側面２２ｄに向かうように傾斜した方向で第１係止片２４を挿入するのが好ましい。
【００５０】
第１係止片２４の第１先端領域２４ａが完全に挿入されると、図５の（ｃ）に示されるように、第１後端領域２４ｂが第１切り込み線２６に当接するために、それ以上奥に挿入できない状態となる。その後、第１係止片２４をわずかに後退させることで、第１係止片２４の第１先端領域２４ａのうち、筒体２０の周回方向に突出した部分（突起部）が、第１切り込み線２６の第１直線部２６ｂに引っ掛かる。これにより、第１係止片２４が抜けない状態となっていることを確認できる（図５の（ｄ））。
【００５１】
続いて、図５の（ｅ）に示されるように、他方の係止片（ここでは、第２係止片２５）を対応する切り込み線（ここでは、第２切り込み線２７）に挿入する。挿入方向は、筒体２０の周回方向に直交する方向で、かつ、他方の係止片（ここでは、第１係止片２４）から遠ざかっていく方向である。第２係止片２５についても、それ以上奥に挿入できない状態となるまで挿入する。その後、第２係止片２５をわずかに後退させることで、第２係止片２５の第２先端領域２５ａのうち、筒体２０の周回方向に突出した部分（突起部）が、第２切り込み線２７の第２直線部２７ｂに引っ掛かる。これにより、第２係止片２５が抜けない状態となっていることを確認できる。
【００５２】
以上の作業により、図５の（ｆ）に示されるように、第１係止片２４及び第２係止片２５は、それぞれ、第１切り込み線２６及び第２切り込み線２７に挿入されて係止される。
【００５３】
なお、以上の作業によって樹脂シート２１の両端領域を係合させて筒体２０を形成した後は、第１折り返し片３０及び第２折り返し片３１を内側に折り返し、その筒体２０の中に、ラベル＆底部４０を筒体２０に挿入して固定する。続いて、筒体２０にランプ６０を挿入し、ランプ６０の口金６４を、ラベル＆底部４０の底部４２に形成された円形孔に挿入する。さらに、筒体２０にランプ用押さえ部５０を挿入し、ランプ６０のグローブ６２の上に置く。最後に、樹脂シート２１の吊り下げ片２９が頂面２８の吊り下げ片用孔２８ａの下方から上方に貫通するように、吊り下げ片２９及び頂面２８を折り曲げるように蓋をする。これにより、ランプ６０が収納されたランプ用包装箱１０が完成する。このようなランプ用包装箱１０は、フック用孔２９ａに、展示用壁面に設けられたフック等を貫通させることで、吊り下げて展示することができる。
【００５４】
以上のように、本実施の形態におけるランプ用包装箱１０によれば、二つの切り込み線が、挿入方向に対して傾斜した方向に走る孔を有するので、二つの係止片を切り込み線に挿入し易い。さらに、二つの係止片の挿入方向がお互いに遠ざかる方向になっているので、二つの係止片が切り込み線から抜けにくくなる。
【００５５】
なお、本発明のランプ用包装箱を構成する筒体の構造は、上記実施の形態で説明したような側面の角を面取りしたような四角柱だけに限られず、図６Ａ及び図６Ｂに示されるような、側面を面取りしていない通常の四角柱（直方体）であってもよい。
【００５６】
図６Ａは、上記実施の形態の変形例に係るランプ用包装箱１１０の外観を示す斜視図である。本図に示されるように、ランプ用包装箱１１０は、筒体１２０、及び、ラベル＆底部１４０で構成される。筒体１２０は、１枚の透明の樹脂シートで組み立てられた四角柱の構造を有し、より正確には、逆角錐体である。ラベル＆底部１４０は、商品名等が印刷された紙又は樹脂のシートで構成される。
【００５７】
図６Ｂは、図６Ａに示される筒体１２０の展開図である。ここには、筒体１２０を構成する樹脂シート１２１（折り曲げる前の樹脂シート１２１）の平面図が示されている。上記実施の形態と異なる点は、筒体１２０の周側面は、４つの四角形（より正確には、逆台形）の側面（左側面１２２ａ、前側面１２２ｂ、右側面１２２ｃ、後側面１２２ｄ）と重ね片１２２ｅとから構成されていることである。二つの係止片（第１係止片１２４及び第２係止片１２５）は、左側面１２２ａの辺から突起するように形成され、二つの切り込み線（第１切り込み線１２６及び第２切り込み線１２７）は、後側面１２２ｄに形成されている。
【００５８】
なお、本変形例の樹脂シート１２１には、上記実施の形態のランプ用押さえ部５０に相当する二つの内側フラップ１３５及び１３６が形成されている。内側フラップ１３５及び１３６には、それぞれ、ランプ６０のグローブ６２の外形に沿って切り欠かれた切り欠き孔１３５ａ及び１３６ａが形成されている。二つの切り欠き孔１３５ａ及び１３６ａは、内側フラップ１３５及び１３６が２箇所で内側に折り込まれた状態でランプ用包装箱１１０の上面を覆うように曲げられたときに、それぞれ、ランプ６０のグローブ６２の左上表面及び右上表面と接する形状を有する。具体的には、二つの切り欠き孔１３５ａ及び１３６ａは、二つの円弧で囲まれた孔として形成されている。
【００５９】
また、本変形例の樹脂シート１２１には、上記実施の形態と似た吊り下げ片１２９が形成されているが、本変形例における吊り下げ片１２９には、二つのフック用孔１２９ａ及び１２９ｂが形成され、吊り下げ片１２９は、折り曲げて用いられる。
【００６０】
このような構造を有する本変形例に係るランプ用包装箱１１０であっても、上記実施の形態におけるランプ用包装箱１０と同様に、樹脂シート１２１に特徴的な二つの係止片と二つの切り込み線とが設けられている。よって、二つの係止片を二つの切り込み線に挿入することは容易であり、かつ、一旦挿入された二つの係止片は抜けにくく、非常に強固に係止状態が維持される。
【００６１】
以上、本発明に係るランプ用包装箱について、実施の形態及び変形例に基づいて説明したが、本発明は、これらの実施の形態及び変形例に限定されるものではない。本発明の趣旨を逸脱しない限り、当業者が思いつく各種変形を上記実施の形態及び変形例に施したものや、上記実施の形態及び変形例における構成要素を組み合わせて構築される別の形態も、本発明の範囲内に含まれる。
【００６２】
たとえば、上記実施の形態では、ランプ用包装箱に収納されるランプはＬＥＤランプであったが、白熱ランプであってもよい。さらに、ランプに似た形状の物品であれば、ランプ以外の物品がランプ用包装箱に収納されてもよい。
【００６３】
また、上記実施の形態では、筒体は、角柱であったが、円柱であってもよい。特徴的な係止片と切り込み線とを利用できることに変わりはないからである。
【符号の説明】
【００６４】
１０、１１０  ランプ用包装箱
２０、１２０  筒体
２１、１２１  樹脂シート（筒体を構成するシート）
２２ａ、１２２ａ  左側面
２２ｂ、１２２ｂ  前側面
２２ｃ、１２２ｃ  右側面
２２ｄ、１２２ｄ  後側面（両端領域の他方）
２２ｅ、１２２ｅ  重ね片
２３ａ  左後側面（両端領域の一方）
２３ｂ  左前側面
２３ｃ  右前側面
２３ｄ  右後側面
２４、１２４  第１係止片
２４ａ  第１先端領域
２４ｂ  第１後端領域
２５、１２５  第２係止片
２５ａ  第２先端領域
２５ｂ  第２後端領域
２６、１２６  第１切り込み線
２６ａ  第１傾斜部
２６ｂ  第１直線部
２７、１２７  第２切り込み線
２７ａ  第２傾斜部
２７ｂ  第２直線部
２８  頂面
２８ａ  吊り下げ片用孔
２９、１２９  吊り下げ片
２９ａ、１２９ａ、１２９ｂ  フック用孔
３０  第１折り返し片
３１  第２折り返し片
４０、１４０  ラベル＆底部
４１  ラベル
４２  底部
５０  ランプ用押さえ部
６０  ランプ
６１  発光部
６２  グローブ
６３  筐体
６４  口金
１３５、１３６  内側フラップ
１３５ａ、１３６ａ  切り欠き孔
【図１】
2015074484.tif 000003
【図２】
2015074484.tif 000004
【図３】
2015074484.tif 000005
【図４】
2015074484.tif 000006
【図５】
2015074484.tif 000007
【図６Ａ】
2015074484.tif 000008
【図６Ｂ】
2015074484.tif 000009